(57)【要約】【課題】本発明は、手や足を挿入する開口部の構造を改良することにより、完全に水を遮断して受傷部分の保護を可能として、製品として長寿命の外傷部の防水プロテクタを提供することを目的とする。【解決手段】本発明に係る外傷部の防水プロテクタ１は、一端又は両端に開口を有し防水性材料からなる可撓性の袋体１０と、袋体１０の一端又は両端に密閉的かつ粘着的に取り付けられた伸縮自在の環状締付体２０とを備える防水プロテクタであって、環状締付体２０は、人の四肢の一部を水密状態で被覆しうるように形成された筒部２１、筒部２１の開口縁に径方向外方に突出して形成された鍔部２２とを備える。筒部２１は、袋体１０の他端より細径に形成されるとよい。また、鍔部２２が内低外高状になだらかに円弧傾斜することにより、環状締付体２０の開口２４に円弧傾斜面２１２を備えることを特徴とする。【選択図】図１
2020000937.tif 000002
【特許請求の範囲】
【請求項１】
一端又は両端に開口を有し防水性材料からなる可撓性の袋体と、該袋体の一端又は両端に密閉的かつ粘着的に取り付けられた伸縮自在の環状締付体とを備える防水プロテクタであって、
前記環状締付体は、前記袋体の開口より細径に形成され、人の四肢の一部を水密状態で被覆しうるように形成された筒部と、該筒部の開口縁に径方向外方に突出して形成された鍔部とを備え、
前記環状締付体は、該鍔部が内低外高状になだらかに円弧傾斜することにより、該環状締付体の開口に円弧傾斜面を備えることを特徴とする外傷部の防水プロテクタ。
【請求項２】
前記環状締付体はシリコンゴムからなる請求項１に記載の外傷部の防水プロテクタ。
【請求項３】
前記袋体は、ポリ塩化ビニル、ポリウレタン又はαオレフィンからなることを特徴とする請求項１または２に記載の外傷部の防水プロテクタ。
【請求項４】
前記袋体と前記環状締付体とは、ヒートシールにより相互に溶着したことを特徴とする請求項１ないし３のいずれか１項に記載の外傷部の防水プロテクタ。
【請求項５】
前記袋体と前記環状締付体とは、シアノアクリレイトを主成分とする接着剤により接着したことを特徴とする請求項１ないし３のいずれか１項に記載の外傷部の防水プロテクタ。
【発明の詳細な説明】
【技術分野】
【０００１】
本発明は、防水プロテクタ、主に外傷部の防水プロテクタの防水構造に関する。
【背景技術】
【０００２】
従来、手や足を骨折してギブスをはめたり、傷を負ったりした場合、肢体患部や骨折のギブスを水にぬらさないようにする必要がある。シャワーや入浴、炊事等における簡易的な処置としては、ギブスや肢体患部の箇所にビニール袋等で包み、紐やゴムで水の侵入口を結わえることが行われる。しかし、片手しか使えない場合は他人の手を借りて処置しなければならないし、水の侵入口を完全に密封することは困難であった。
【０００３】
これらの問題を解決するため，種々の防水装具が市販されている。例えば、ラテックスゴム等高弾性の材質で四肢の形状に合わせて作られたドライソックスと呼ばれる製品がある。開口部は四肢の直径より小さく、受傷した肢体をカバーに入れて固定させ、外側に設置された空気抜き穴からゴム球で空気を抜き気密化し、気密化によりカバーが肢体に密着することにより防水効果を図ったものである。しかし、空気抜きの防水カバーについては、空気穴から空気を抜き真空状態にして防水効果を出すが、真空状態にすると受傷部分に不快感を生じ又、骨折のギブスに対しても不適であり、入り口も、直径が小さく石膏部分の挿入が困難である。先行技術としても、特許文献１に係る考案は、上述の製品と同様、排気チューブ付きの防水袋を提案しているが、空気抜きの手間や装着の不快感の問題が残る。
【０００４】
また、簡易型の防水カバーとしては、四肢の形に合わせた塩化ビニール製の製品があり、開口部の内側に環状の枠、並びに弾性の留め具、留め口を備え、受傷の部位を挿入させ、固定させる。この場合、留め口が防水の役目を果たす。該防水カバーは弾性の留め口を利用して受傷部分を固定、防水する役目を負うが、防水性が十分でなく水が浸入するおそれがある。また環状の枠は、硬く非常に不快感を与え、動作中にも違和感を生じ、相互役割が発揮されず、捩れやすく完全な防水効果が発揮できない。先行技術としても、特許文献２に係る発明は、開口部が肢体より大きく、開口部を環状の留め具のベルトで封鎖する防水プロテクターを提案しているが、やはり、片手しか使えない場合は他人の手を借りて処置しなければならない問題が残る。
【０００５】
上述した製品や発明を改良するものとして、種々の発明が提案されている。特許文献３に係る考案は、両端が開口した筒状のゴムカバー本体と、開口部に形成された環状締付部と、ゴムカバー本体の内周に配設された吸湿部材とで構成されたことを特徴とする。また、特許文献４に係る発明は、一端が閉じ他端が開いている防水性材料の可撓性スリーブを含み、他端は、密閉的に粘着的に付けられた柔軟性及び伸縮自在のゴム隔膜を有する保護具で、スリーブを引っ張ると延伸した開口部が、ギブスや包帯等への水の侵入を防止する。なるほど、これらならば、不快感もなく、片手でこれらの装着具を装着することができる。
【先行技術文献】
【特許文献】
【０００６】
【特許文献１】登録実用新案第３０６１９２９号公報
【特許文献２】特開２００５−６６３０１号公報
【特許文献３】実用新案登録第３０３８３６５号公報
【特許文献４】米国特許第７９５５２８４号公報
【発明の概要】
【発明が解決しようとする課題】
【０００７】
しかしながら、特許文献３、４に係る発明や考案については、手や足を挿入する開口部が、開口よりも大きな手や足を出し入れするために、開口部の周縁から裂けたり、破れたり、解れたりすることにより、水の侵入を招くおそれがある。図７を参照する。図７は、従来製品の一例を示す図であり、特に開口部における手や足を出し入れした際の開口部周縁端部の状態を示している。より詳細に説明する。図７(ａ)、（ｂ）、（ｃ）を参照すると、開口部から開口の径よりも大きい断面が矩形の挿入物Ｘを挿入する様子が理解できるであろう。すなわち、挿入物Ｘを開口６４に挿入すると、開口を形成する膜の周縁端６１２が挿入物Ｘに当接して開口６４が拡開する。そして、挿入物Ｘが開口６４から排出される場合も排出直前は挿入物Ｘが周縁端６１２に当接したまま、排出されることとなるのである。よって、周縁端６１２は挿入物Ｘの出し入れのたびに摩耗していくこととなり、開口６４の周縁端から裂けたり、破れたり、解れたりすることにより、水の侵入を招くおそれがある。そこで、本発明は、上記の事情に鑑み、手や足を挿入する開口部の構造を改良することにより、完全に水を遮断して受傷部分の保護を可能として、製品として長寿命の外傷部の防水プロテクタを提供することを目的とする。
【課題を解決するための手段】
【０００８】
上記目的を達成するため、本発明に係る外傷部の防水プロテクタは、一端又は両端に開口を有し防水性材料からなる可撓性の袋体と、前記袋体の一端又は両端に密閉的かつ粘着的に取り付けられた伸縮自在の環状締付体とを備える防水プロテクタであって、環状締付体は、人の四肢の一部を水密状態で被覆しうるように形成された筒部と、該筒部の開口縁に径方向外方に突出して形成された鍔部とを備えることを特徴とする。なお、筒部は、前記袋体の他端より細径に形成されるとよい。また、鍔部が内低外高状になだらかに円弧傾斜することにより、前記環状締付体の開口に円弧傾斜面を備えるようにすれば、開口部の強度が増す。
【０００９】
また、環状締付体はシリコンゴムからなると好適である。他方、袋体は、ポリ塩化ビニル、ポリウレタン又はαオレフィンからなるようにするとよい。そして、  袋体と環状締付体とは、ヒートシールにより相互に溶着してもよいし、又はシアノアクリレイトを主成分とする接着剤により接着してもよい。
【発明の効果】
【００１０】
本発明に係る外傷部の防水プロテクタによれば、完全に水を遮断して受傷部分の保護を可能とし、開口部の強度を増すことで長期の使用に耐えうる効果がある。
【図面の簡単な説明】
【００１１】
【図１】本発明の外傷部の防水プロテクタ１を概略的に示す斜視図である。
【図２】環状締付体の開口が伸縮する様子を示す正面図である。
【図３】環状締付体の開口に拡開する際の鍔部と筒部とから形成される出入受け面の変化の様子を示す概略的な模式図である。
【図４】腕に本発明の防水プロテクタを装着した状態を示す図である。
【図５】足に本発明の防水プロテクタを装着した状態を示す図である。
【図６】本発明の外傷部の防水プロテクタ２を概略的に示す正面図である。
【図７】従来製品の一例の開口に対する挿入物の出入りの変化の様子を示す図である。
【発明を実施するための形態】
【００１２】
以下、本発明の実施の形態を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施の形態に限定されるものではない。
【実施例１】
【００１３】
実施例１を図面を参照して詳細に説明する。
【００１４】
図１は、本発明の実施例１の外傷部の防水プロテクタ１を概略的に示す斜視図である。
【００１５】
図１を参照する。外傷部の防水プロテクタ１は、一端に開口を有し他端が閉じた防水性材料からなる可撓性の袋体１０と、袋体１０の一端に密閉的かつ粘着的に取り付けられた伸縮自在の環状締付体２０とを備える。
【００１６】
環状締付体２０は、人の四肢（手、足）の一部を水密状態で被覆しうるように形成された筒部２１と、筒部２１の開口縁に径方向外方に突出して形成された鍔部２２とを備え、鍔部２２の中央に開口２４を備える。また、環状締付体２０は、袋体１０の開口に取り付けられる接合部２３を備える。鍔部２２が内低外高状になだらかに円弧傾斜することにより、環状締付体２０の開口２４に円弧傾斜面２１２を備えるようにすると好適である。また、筒部２１は、袋体１０の開口より細径に形成されるとよい。なお、環状締付体２０は、柔軟で伸縮性を有する材料であればよく、特に限定するものではないが、シリコンゴム製であると好適である。
【００１７】
袋体１０は、手用、足用の用途や、大人用、子供用等の属性に即した種々の長さにすることができ、材質としては、ポリ塩化ビニル、ポリウレタン又はαオレフィンを用いるとよい。なお、袋体１０と環状締付体２０とは、ヒートシールにより相互に溶着してもよいし、又はシアノアクリレイトを主成分とする接着剤により接着してもよい。
【００１８】
図２及び３を参照する。図２は、環状締付体２０の開口２４が伸縮する様子を示す正面図である。図３は、環状締付体２０の開口２４を拡開する際の鍔部２２と筒部２１とから形成される円弧傾斜面２１２の変化の様子を示す概略的な模式図である。
【００１９】
図２を参照する。環状締付体２０の開口から手や足を挿入すると、基本的には図２（ａ）に示す筒部２１が周方向（矢印ロ方向）に拡開して、筒部２１は図２（ｂ）に示すように膨らむ。これを模式化すると、図３に示すようになる。図３を詳細に説明する。なお、開口２４に出し入れするのは、手や足であるが、図３においては、図７との対比を行うために断面が矩形の挿入物Ｘを用いて説明していることに留意されたい。図３(ａ)、（ｂ）を参照すると、開口２４から、開口２４の径よりも大きく断面が矩形の挿入物Ｘを挿入する様子が理解できるであろう。すなわち、挿入物Ｘを開口２４に挿入すると、開口を形成する円弧傾斜面２１２に挿入物Ｘが当接して開口２４が拡開する。そして、挿入物Ｘが開口２４から排出される場合も排出直前は挿入物Ｘが円弧傾斜面２１２に当接したまま、排出されることとなるのである。よって、図７の従来製品における開口周縁端６１２が挿入物Ｘの出し入れのたびに摩耗していくのに対し、本発明に係る防水プロテクタ１においては、挿入物の出し入れで当接するのは開口を形成する膜の端ではなく、筒部２１と鍔部２２との境界で形成される円弧傾斜面２１２であるところ、線ではなく面で挿入物を受けることで、開口２４の周辺から裂けたり、破れたり、解れたりすることを防止して、ひいてはプロテクタの寿命を長くすることができる。
【００２０】
図４、５は、使用例を示している。図４は、腕に本発明の防水プロテクタを装着した状態を示し、図５は、足に本発明の防水プロテクタを装着した状態を示している。すなわち、手首や足首に適合する大きさの開口２４を形成し、手や足の長さに適合する大きさの袋体１０を形成するとよい。
【実施例２】
【００２１】
実施例２を図面を参照して詳細に説明する。
【００２２】
図６は、本発明の実施例２の外傷部の防水プロテクタ２を概略的に示す正面図である。
【００２３】
図６を参照する。外傷部の防水プロテクタ２は、両端に開口を有する防水性材料からなる可撓性の袋体３０と、袋体３０の両端に密閉的かつ粘着的に取り付けられた伸縮自在の環状締付体４０、５０とを備える。
【００２４】
環状締付体４０は、人の四肢（手、足）の一部を水密状態で被覆しうるように形成された筒部４１と、筒部４１の開口縁に径方向外方に突出して形成された鍔部４２とを備え、鍔部４２の中央に開口４４を備える。また、環状締付体４０は、袋体３０の開口に取り付けられる接合部４３を備える。鍔部４２が内低外高状になだらかに円弧傾斜することにより、環状締付体４０の開口４４に円弧傾斜面４１２（図示していない）を備えるようにすれば、開口周縁の強度が増す。筒部４１は、袋体３０の開口より細径に形成されるとよい。
【００２５】
環状締付体５０は、環状締付体４０と同様に、筒部５１と、筒部５１の開口縁に径方向外方に突出して形成された鍔部５２とを備え、鍔部５２の中央に開口５４を備える。また、環状締付体５０は、袋体３０の開口に取り付けられる接合部５３を備える。鍔部５２が内低外高状になだらかに円弧傾斜することにより、環状締付体５０の開口５４に円弧傾斜面５１２（図示していない）を備えるようにすれば、開口周縁の強度が増す。筒部５１は、袋体３０の開口より細径に形成されるとよい。
【００２６】
外傷部の防水プロテクタ２は、環状締付体４０、５０を有するので、手又は足の中間部に外傷があり、手先や足先を露出させたい場合に利用することができる。したがって、環状締付体４０、５０のいずれかの筒部４１、５１を他方よりも細径にするとよい。
【００２７】
防水プロテクタ２と防水プロテクタ１との相違点は、環状締付体が一端にあるか、両端にあるかの違いであり、他の点は略同一であるので説明は省略する。
【００２８】
以上、本発明の外傷部の防水プロテクタの構成例における好ましい実施形態を図示して説明してきたが、本発明の技術的範囲を逸脱することなく種々の変更が可能であることは理解されるであろう。
【産業上の利用可能性】
【００２９】
本発明の外傷部の防水プロテクタは、石膏ギブス、合成ギブス、義足、添え木、包帯、やけど、発疹、裂傷、水虫、アトピー性皮膚炎等で、四肢を水に濡らしたくない時に使用できるので、家庭用のみならず、病院や介護施設等においての入浴用装着具として広く利用することができる。
【符号の説明】
【００３０】
１  ２  外傷用の防水プロテクタ
１０  ３０  袋体
２０  ４０  ５０  環状締付体
２１  ４１  ５１  筒部
２２  ４２  ５２  鍔部
２３  ４３  ５３  接合部
２４  ４４  ５４  ６４  開口
２１２  ４１２  ５１２  円弧傾斜面
６１２  周縁端
Ｇ  ギブス
【図１】
2020000937.tif 000003
【図２】
2020000937.tif 000004
【図３】
2020000937.tif 000005
【図４】
2020000937.tif 000006
【図５】
2020000937.tif 000007
【図６】
2020000937.tif 000008
【図７】
2020000937.tif 000009